(57)【要約】【課題】紙製品を極めて簡単、且つ確実に強固に結束できると共に、簡単に使用できる結束補助具を提供する。【解決手段】結束補助具２は、水平板３１と垂直板３２とからなるプレート３０と、挟圧部材２０とを有し、水平板３１は長方形状であり、水平板３１の底面３１ａに対し略垂直になる垂直板３２を有し、垂直板３２の対向の側には挟圧部材２０を取り付けるための孔が形成され、挟圧部材２０は略直方体形状であり、挟圧部材の底面２０ａが先端方向に向かって反り上がって、底面２０ａに水平板３１を取り付ける突起があり、孔に突起が掛かり固定され、結束をする際に紐が底面２０ａと水平板上面３１ｂの間に入り込み、摩擦力で紐が固定され、挟圧部材２０の上面２０ｂが先端方向に向かって反り下がって、水平板３１は弾性体で、垂直板３２は水平板３１に対し前後方向にスライド固定が可能である。【選択図】図４
2017154816.tif 000002
【特許請求の範囲】
【請求項１】
水平板と垂直板とからなるプレートと、挟圧部材と、を有する結束補助具であって、
前記水平板は長方形状であり、該水平板の底面に該水平板に対し略垂直になる前記垂直板を有し、その対向の側には前記挟圧部材を取り付けるための孔が形成され、
前記挟圧部材は略直方体形状であり、該挟圧部材の底面が先端方向に向かって反り上がって、該底面に前記水平板を取り付けるための突起があり、前記孔に前記突起が掛かり固定され、
結束をする際に紐が前記底面と前記水平板の上面の間に入り込み、摩擦力で紐が固定されることを特徴とする結束補助具。
【請求項２】
前記挟圧部材の上面が先端方向に向かって反り下がっている請求項１に記載の結束補助具。
【請求項３】
前記垂直板は前記水平板に対し前後方向にスライド固定が可能である請求項１又は２に記載の結束補助具。
【請求項４】
前記水平板は弾性体である請求項１乃至３のうちのいずれか１項に記載の結束補助具。
【発明の詳細な説明】
【技術分野】
【０００１】  この発明は、紐を一人でも緩まない結束をするための補助具に関するものである。
【背景技術】
【０００２】  従来、例えば、古新聞紙、古雑誌やダンボール等の紙製品を複数枚束ねて整理、保管、あるいは廃棄処分する場合結束紐を使用して結束しているが、特に力のない子供や女性は、固く結束することが難しく、結束紐が緩んでしまい、結束したものが崩れてしまう課題があった。
【先行技術文献】
【特許文献】
【０００３】
【特許文献１】特開２００３−２００１８号公報
【発明の概要】
【発明が解決しようとする課題】
【０００４】  前記特許文献１に記載された結束器は固結びを形成する際に一度目の結び目を押圧部で押さえつつ、二度目の結び目を締め付けることで、押さえてある結び目が押圧部の先端へ向けて移動し、固結びが形成される、しかし結束器が大きく構造も複雑という課題があった。【０００５】  本発明は、前記従来の課題を解決すべくなされたものであって古新聞紙や古雑誌等の紙製品を子供や女性でも極めて簡単、且つ確実に強固に結束することができると共に、一般的な結束方法と略同じで簡単に使用することができる結束補助具を提供しようとするものである。
【課題を解決するための手段】
【０００６】  請求項１の結束補助具は、新聞紙、雑誌、段ボールなどを紐により結束するための補助具であって、水平板と垂直板とからなるプレートと、挟圧部材と、を有する結束補助具であって、
前記水平板は長方形状であり、該水平板の底面に該水平板に対し略垂直になる前記垂直板を有し、その対向の側には前記挟圧部材を取り付けるための孔が形成され、
前記挟圧部材は略直方体形状であり、該挟圧部材の底面が先端方向に向かって反り上がって、該底面に前記水平板を取り付けるための突起があり、前記孔に前記突起が掛かり固定され、
結束をする際に紐が前記底面と前記水平板上面の間に入り込み、摩擦力で紐が固定されることを特徴とする。
また、請求項２の結束補助具は、請求項１において、前記挟圧部材の上面が先端方向に向かって反り下がっている。
請求項３の結束補助具は、請求項１又は２において、前記垂直板が前記水平板に対し前後方向にスライド固定が可能である。
請求項４の結束補助具は、請求項１乃至３のうちのいずれか１項において、前記水平板は弾性体である。
【発明の効果】
【０００７】  前記構成より成る本発明によれば前記特許文献１の結束器と比べ、構造が極めて簡単で安価に製造できるとともに、その使用方法も極めて単純であるため、力のない子供や女性でも容易に使用して、確実、且つ、強固に被結束物を結束できる。
請求項１の結束補助具は結束後、前記結束補助具の前記挟圧部材と前記プレートとを分離させ、繰り返しの使用が可能である。
請求項２の結束補助具は前記挟圧部材の上面が先端方向に向かって反り下がって、前記挟圧部材の上面で、二度目の結び目を締め付けることで反り下がりがガイドとなり、前記底面と前記上面の間に入り込み、摩擦力で紐が固定される。
請求項３の結束補助具の前記垂直板は前記水平板に対し前後方向にスライド固定が可能で、様々なサイズの紙製品に対応ができる。
請求項４の結束補助具の前記水平板は弾性体で、結束をする際、前記水平板がたわむことで紐が前記底面と前記水平板上面の間に入り込みやすくなる。
【図面の簡単な説明】
【０００８】
【図１】本発明の実施例１の結束補助具の斜視図である。
【図２】本発明の実施例１の結束補助具のプレートの斜視図である。
【図３】本発明の実施例１の結束補助具の挟圧部材の斜視図である。
【図４】本発明の実施例２の結束補助具の上方から見た斜視図である。
【図５】本発明の実施例２の結束補助具の下方から見た斜視図である。
【図６】実施例２の結束補助具を用いて古新聞紙を結束する状態を示す図である。
【図７】実施例２の結束補助具を用いて古新聞紙を結束する状態を示す図である。
【図８】実施例２の結束補助具を用いて古新聞紙を結束する状態を示す図である。
【図９】実施例２の結束補助具を用いて古新聞紙を結束する状態を示す図である。
【発明を実施するための形態】
【０００９】  以下、本発明の実施形態の結束補助具について、添付図面に基づいて説明する。
【実施例１】
【００１０】  この結束補助具１は、図１に示すように水平板１１と垂直板１２とからなるプレート１０と、挟圧部材２０と、を有する。水平板１１は長方形状であり、水平板の底面１１ａに対し略垂直になる垂直板１２を有する。
図２に示すようにその垂直板１２の対向の側には挟圧部材２０を取り付けるための孔１１ｈが２個形成されている。
本実施例では、孔が２個形成されているが、１個でもよいし、３個以上でもよい。
図３に示すように挟圧部材２０は略直方体形状であり、挟圧部材の底面２０ａが先端方向に向かって反り上がっている。
本実施例では、挟圧部材の材質は木材を使用したが、表面が滑りやすいプラスチックでもよい。
底面２０ａに水平板１１を取り付けるための突起２１が２個あり、孔１１ｈに突起２１が掛かり固定される。
本実施例では、突起が２個形成されているが、１個でもよいし、３個以上でもよい。
結束をする際に紐５０が底面２０ａと水平板上面１１ｂの間に入り込み、摩擦力で紐５０が固定される。
挟圧部材２０の上面２０ｂが先端方向に向かって反り下がっている。
本実施例では、先端方向に向かって反り下がっているが、特に形状は限定されない。
水平板１１は弾性体である。
本実施例では、弾性体であるが、弾性体でなくてもよい。
垂直板３２は、水平板３１に固定されているので、新聞や雑誌等の紙製品６０に引っ掛けることができる。
【実施例２】
【００１１】  結束補助具２は、図４に示すように水平板３１と垂直板３２とからなるプレート３０と、挟圧部材２０と、を有する。水平板３１は長方形状であり、水平板の底面３１ａに対し略垂直になる垂直板３２を有する。
その垂直板３２の対向の側には挟圧部材２０を取り付けるための孔３１ｈが形成されている。
挟圧部材２０は略直方体形状であり、挟圧部材の底面２０ａが先端方向に向かって反り上がっている。
図５に示すように底面２０ａに水平板３１を取り付けるための突起２１があり、孔３１ｈに突起２１が掛かり固定される。
結束をする際に紐５０が底面２０ａと水平板上面３１ｂの間に入り込み、摩擦力で紐５０が固定される。
挟圧部材２０の上面２０ｂが先端方向に向かって反り下がっている。
本実施例では、先端方向に向かって反り下がっているが、特に形状は限定されない。
水平板３１は弾性体である。
本実施例では、弾性体であるが、弾性体でなくてもよい。垂直板３２は水平板３１に対し前後方向にスライド固定が可能である。垂直板３２は、断面Ｌ字形に形成されている。
具体的には、プレート３０には、２本の溝３１ｓが形成されている。２本の溝３１ｓの上に、２組の蝶ナット及び小ねじ３５と、押さえ板３６と、垂直板３２と挟み組み合わせる。垂直板３２の位置は、蝶ナット及び小ねじ３５を緩めることで、任意の位置に調節可能である。
本実施例では、溝が２本形成されているが、１本でもよいし、３本以上でもよい。
本実施例では、蝶ナット及び小ねじが２組で形成されているが、１組でもよいし、３組以上でもよい。
本実施例では、プレート３０に紙サイズをマーキングすることで、垂直板３２の位置を容易に決めることが可能である。
垂直板３２の機能も実施例１と同様の機能であるため説明を省略する。【００１２】  結束補助具２の使用方法は、一般的な「蝶結び」を例に説明する。蝶結びの工程は２回に分けて縛るので、１回目を「ひと結び」、２回目を「リボン結び」として説明する。
この結束補助具２は、「蝶結び」をする際に、「ひと結び」後に「リボン結び」をする際のゆるみを防止することができる。したがって、「ひと結び」時に締め付けた強さのまま、「蝶結び」をすることができる。
結束補助具２の使用方法は、まず、新聞や雑誌等の紙類６０を積み重ね、挟圧部材２０を上部に置く（図６参照）。
蝶ナット及び小ねじ３５を緩めて、縛った際に結び目が来そうな位置に、反り下がり部２０ｂ１が来るように、垂直板３２の位置を決め、蝶ナット及び小ねじ３５を締め付ける（図６参照）。
紐５０を架け、反り下がり部２０ｂ１の上から「ひと結び」を行い、紐の端５０ａを強く引っ張りながら紐の端５０ａを挟圧部材後方へ引くことで、結び目が、底面平坦部２０ａ１とプレート３０に挟まれ紐５０は緩みにくくなっている（図６参照）。
反り下がり部２０ｂ１の上から「リボン結び」を行い、紐の端５０ｂを強く引く（図７参照）。
紐の端５０ｂを強く引くことで、「リボン結び」の結び目が反り下がり部２０ｂ１を滑り下り、結び目が、底面平坦部２０ａ１とプレート３０に挟まれる。この段階で「蝶結び」による結束は完了する（図７、図８参照）。
プレート３０を軽く押さえて、挟圧部材２０を先端方向にスライドさせると、挟圧部材２０が外れ、プレート３０も紐５０から外すことが可能となる。これにより「蝶結び」による結束が完了する（図９参照）。
【符号の説明】
【００１３】１、２  結束補助具
１０  結束補助具１のプレート
１１  結束補助具１の水平板
１１ａ  結束補助具１の水平板の底面
１１ｂ  結束補助具１の水平板の上面
１１ｈ  結束補助具１の水平板の孔
１２  結束補助具１の垂直板
２０  挟圧部材
２０ａ  挟圧部材の底面
２０ａ１  挟圧部材の底面平坦部
２０ｂ  挟圧部材の上面
２０ｂ１  挟圧部材の平坦部
２０ｂ２  挟圧部材の反り下がり部
２１  挟圧部材の突起
３０  結束補助具２のプレート
３１  結束補助具２の水平板
３１ａ  結束補助具２の水平板の底面
３１ｂ  結束補助具２の水平板の上面
３１ｈ  結束補助具２の水平板の孔
３１ｓ  結束補助具２の水平板の溝
３２  結束補助具２の垂直板
３５  蝶ナット及び小ねじ
３６  押さえ板
５０  紐
６０  紙製品
【図１】
2017154816.tif 000003
【図２】
2017154816.tif 000004
【図３】
2017154816.tif 000005
【図４】
2017154816.tif 000006
【図５】
2017154816.tif 000007
【図６】
2017154816.tif 000008
【図７】
2017154816.tif 000009
【図８】
2017154816.tif 000010
【図９】
2017154816.tif 000011
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
水平板と垂直板とからなるプレートと、挟圧部材と、を有する結束補助具であって、
前記水平板は長方形状であり、該水平板の底面に該水平板に対し略垂直になる前記垂直板を有し、該垂直板の対向の側には前記挟圧部材を取り付けるための孔が形成され、
前記挟圧部材は略直方体形状であり、該挟圧部材の底面が前記垂直板の方向に向かって反り上がって、該底面に前記水平板を取り付けるための突起があり、前記孔に前記突起が掛かり固定され、
結束をする際に紐が前記底面と前記水平板の上面の問に入り込み、摩擦力で紐が固定されることを特徴とする結束補助具。
【請求項２】
前記挟圧部材の上面が前記垂直板の方向に向かって反り下がっている請求項１に記載の結束補助具。
【請求項３】
前記垂直板は前記水平板に対し前後方向にスライド固定が可能である請求項１又は２に記載の結束補助具。
【請求項４】
前記水平板は弾性体である請求項１乃至３のうちのいずれか１項に記載の結束補助具。
【手続補正２】
【補正対象書類名】明細書
【補正対象項目名】０００６
【補正方法】変更
【補正の内容】
【０００６】  請求項１の結束補助具は、新聞紙、雑誌、段ボールなどを紐により結束するための補助具であって、水平板と垂直板とからなるプレートと、挟圧部材と、を有する結束補助具であって、
前記水平板は長方形状であり、該水平板の底面に該水平板に対し略垂直になる前記垂直板を有し、該垂直板の対向の側には前記挟圧部材を取り付けるための孔が形成され、
前記挟圧部材は略直方体形状であり、該挟圧部材の底面が前記垂直板の方向に向かって反り上がって、該底面に前記水平板を取り付けるための突起があり、前記孔に前記突起が掛かり固定され、
結束をする際に紐が前記底面と前記水平板上面の間に入り込み、摩擦力で紐が固定されることを特徴とする。
また、請求項２の結束補助具は、請求項１において、前記挟圧部材の上面が前記垂直板の方向に向かって反り下がっている。
請求項３の結束補助具は、請求項１又は２において、前記垂直板が前記水平板に対し前後方向にスライド固定が可能である。
請求項４の結束補助具は、請求項１乃至３のうちのいずれか１項において、前記水平板は弾性体である。
【手続補正３】
【補正対象書類名】明細書
【補正対象項目名】０００７
【補正方法】変更
【補正の内容】
【０００７】  前記構成より成る本発明によれば前記特許文献１の結束器と比べ、構造が極めて簡単で安価に製造できるとともに、その使用方法も極めて単純であるため、力のない子供や女性でも容易に使用して、確実、且つ、強固に被結束物を結束できる。
請求項１の結束補助具は結束後、前記結束補助具の前記挟圧部材と前記プレートとを分離させ、繰り返しの使用が可能である。
請求項２の結束補助具は前記挟圧部材の上面が前記垂直板の方向に向かって反り下がって、前記挟圧部材の上面で、二度目の結び目を締め付けることで反り下がりがガイドとなり、前記底面と前記上面の間に入り込み、摩擦力で紐が固定される。
請求項３の結束補助具の前記垂直板は前記水平板に対し前後方向にスライド固定が可能で、様々なサイズの紙製品に対応ができる。
請求項４の結束補助具の前記水平板は弾性体で、結束をする際、前記水平板がたわむことで紐が前記底面と前記水平板上面の間に入り込みやすくなる。